(57)【要約】【課題】各商品にそれぞれ付された電子タグのデータを一括して読取り、この読取られた電子タグのデータに基づいて１商取引として売り上げる商品の販売データを処理する場合において、簡単かつ安価な構成で商取引をミスなく確定できるようにする。【解決手段】電子タグリーダでデータが読取られた電子タグの数を計数する。また、１商取引として売り上げる商品の点数入力を受付ける。入力された点数と計数された電子タグの数とを比較し、一致したことを条件に、当該商取引の決済を許可する。そして、１商取引として売り上げる商品の代金を決済する。【選択図】      図６
2007226320.tif 000002
【特許請求の範囲】
【請求項１】
各商品にそれぞれ付された電子タグのデータを一括して読取る電子タグデータ読取手段を備え、この電子タグデータ読取手段により読取られた電子タグのデータに基づいて１商取引として売り上げる商品の販売データを処理する商品販売データ処理装置において、
前記電子タグデータ読取手段によりデータが読取られた電子タグの数を計数するタグ数計数手段と、
前記１商取引として売り上げる商品の代金を決済する代金決済手段と、
前記１商取引として売り上げる商品の点数を入力する点数入力手段と、
この点数入力手段により入力された点数と前記タグ数計数手段により計数された電子タグの数とを比較する比較手段と、
この比較手段により入力された点数が電子タグの数と一致したことを条件に前記代金決済手段による決済を許可する決済制御手段と、
を具備したことを特徴とする商品販売データ処理装置。
【請求項２】
前記電子タグデータ読取手段により読取られた電子タグのデータに基づき、当該電子タグが付された商品の商品名を取得する商品名取得手段と、
この商品名取得手段により得られた商品名を表示する商品名表示手段と、
をさらに具備したことを特徴とする請求項１記載の商品販売データ処理装置。
【請求項３】
前記点数入力手段により入力された点数が前記タグ数計数手段により計数された電子タグの数より小さい場合には、商品の点数の再入力を指示するメッセージを表示し、前記点数入力手段により入力された点数が前記タグ数計数手段により計数された電子タグの数より大きい場合には、電子タグの再読取を指示するメッセージを表示するメッセージ表示手段、
をさらに具備したことを特徴とする請求項１記載の商品販売データ処理装置。
【請求項４】
各商品にそれぞれ付された電子タグのデータを一括して読取る電子タグデータ読取手段を備えてなる商品販売データ処理装置が、前記電子タグデータ読取手段により読取られた電子タグのデータに基づいて１商取引として売り上げる商品の販売データを処理する商品販売データ処理方法であって、
前記商品販売データ処理装置が、前記電子タグデータ読取手段によりデータが読取られた電子タグの数を計数するタグ数計数ステップと、
前記商品販売データ処理装置が、前記１商取引として売り上げる商品の点数入力を受付ける点数入力受付ステップと、
前記商品販売データ処理装置が、前記点数入力受付ステップで入力された点数と前記タグ数計数ステップで計数された電子タグの数とを比較し、一致すると前記１商取引として売り上げる商品の代金を決済する決済ステップと、
からなることを特徴とする商品販売データ処理方法。
【請求項５】
各商品にそれぞれ付された電子タグのデータを一括して読取る電子タグデータ読取手段を備えたコンピュータを、前記電子タグデータ読取手段により読取られた電子タグのデータに基づいて１商取引として売り上げる商品の販売データを処理する商品販売データ処理装置として機能させるためのプログラムであって、
前記コンピュータを、
前記電子タグデータ読取手段によりデータが読取られた電子タグの数を計数するタグ数計数手段、
前記１商取引として売り上げる商品の代金を決済する代金決済手段、
前記１商取引として売り上げる商品の点数を入力する点数入力手段、
この点数入力手段により入力された点数と前記タグ数計数手段により計数された電子タグの数とを比較する比較手段、及び、
この比較手段により入力された点数が電子タグの数と一致したことを条件に前記代金決済手段による決済を許可する決済制御手段として機能させるためのプログラム。
【発明の詳細な説明】
【技術分野】
【０００１】
本発明は、各商品にそれぞれ付された電子タグのデータを一括して読取り、この読取られた電子タグのデータに基づいて１商取引として売り上げる商品の販売データを処理する商品販売データ処理装置及びこの装置に関する方法並びにコンピュータを本発明に係る商品販売データ処理装置として機能させるためのプログラムに関する。
【背景技術】
【０００２】
近年、流通業界においては、電子タグを利用したチェックアウトシステムの開発が進められている。このシステムは、各商品に電子タグをそれぞれ付し、その電子タグのメモリに、当該電子タグが付されている商品を特定するための商品コードなどの商品データを記憶させる。また、ＰＯＳ（Point Of Sales）端末等の商品販売データ処理装置に電子タグリーダを接続し、この電子タグリーダのアンテナをチェックアウトカウンタの近傍に設ける。かくして、客が買上商品を会計のためにチェックアウトカウンタに載せると、各商品にそれぞれ付されている電子タグのデータが電子タグリーダによって読取られ、商品販売データ処理装置に送られるので、商品販売データ処理装置は、電子タグリーダから受信した電子タグデータに基づいて、当該電子タグが付された商品の販売データを処理し、その代金の決済を処理するというものである。
【０００３】
ここで、この種のシステムに用いられる電子タグリーダは、アンチコリジョンと呼ばれる衝突防止機能が備えられており、電子タグリーダの１つのアンテナの交信領域内に複数の電子タグが存在してもデータを一括して読取れるようになっている。ただし、アンチコリジョン機能を用いたとしても、電子タグの重なりやノイズの影響等により、電子タグリーダは、アンテナの交信可能範囲内にある全ての電子タグと必ずしも交信できるとは限らない。また、電子タグ自体が壊れていて反応しない場合もあり得る。
【０００４】
そこで従来、チェックアウトカウンタに計量器を設けるとともに、商品データベースに各商品の単位重量データを設定保存し、チェックアウトカウンタに置かれた客買上商品全品の総重量を計測するとともに、電子タグリーダによって電子タグデータが読取られた商品の単位重量データを商品データベースから読出し合算して、その合計重量が総重量に一致すると、商取引を確定させて決済処理を行わせるようにした技術が知られていた（例えば、特許文献１参照）。
【特許文献１】特開２００４−２６５１１２号公報
【発明の開示】
【発明が解決しようとする課題】
【０００５】
しかしながら、重量データを利用した従来技術においては、チェックアウトカウンタに電子タグリーダの他に計量器を設けなければならない上、各商品の単位重量データを予め計測して商品データベースに設定しなければならない面倒があった。また、野菜類や精肉類等の食品は１品毎に重量が異なるので、商品データベースに単位重量データを設定することも困難であった。
【０００６】
本発明はこのような事情に基づいてなされたもので、その目的とするところは、各商品にそれぞれ付された電子タグのデータを一括して読取り、この読取られた電子タグのデータに基づいて１商取引として売り上げる商品の販売データを処理する場合において、簡単かつ安価な構成で商取引をミスなく確定させることができるようにすることにある。
【課題を解決するための手段】
【０００７】
本発明に係る装置は、各商品にそれぞれ付された電子タグのデータを一括して読取る電子タグデータ読取手段を備え、この電子タグデータ読取手段により読取られた電子タグのデータに基づいて１商取引として売り上げる商品の販売データを処理する商品販売データ処理装置であって、さらに、電子タグデータ読取手段によりデータが読取られた電子タグの数を計数するタグ数計数手段と、１商取引として売り上げる商品の代金を決済する代金決済手段と、１商取引として売り上げる商品の点数を入力する点数入力手段と、この点数入力手段により入力された点数とタグ数計数手段により計数された電子タグの数とを比較する比較手段と、この比較手段により入力された点数が電子タグの数と一致したことを条件に代金決済手段による決済を許可する決済制御手段とを備えたものである。
【０００８】
また、本発明に係る方法は、各商品にそれぞれ付された電子タグのデータを一括して読取る電子タグデータ読取手段を備えてなる商品販売データ処理装置が、電子タグデータ読取手段により読取られた電子タグのデータに基づいて１商取引として売り上げる商品の販売データを処理する商品販売データ処理方法であって、商品販売データ処理装置が、電子タグデータ読取手段によりデータが読取られた電子タグの数を計数するタグ数計数ステップと、１商取引として売り上げる商品の点数入力を受付ける点数入力受付ステップと、点数入力受付ステップで入力された点数とタグ数計数ステップで計数された電子タグの数とを比較し、一致すると前記１商取引として売り上げる商品の代金を決済する決済ステップとをさらに行うようにしたものである。
【０００９】
また、本発明に係るプログラムは、各商品にそれぞれ付された電子タグのデータを一括して読取る電子タグデータ読取手段を備えたコンピュータを、電子タグデータ読取手段により読取られた電子タグのデータに基づいて１商取引として売り上げる商品の販売データを処理する商品販売データ処理装置として機能させるためのプログラムであって、コンピュータを、電子タグデータ読取手段によりデータが読取られた電子タグの数を計数するタグ数計数手段、１商取引として売り上げる商品の代金を決済する代金決済手段、１商取引として売り上げる商品の点数を入力する点数入力手段、この点数入力手段により入力された点数とタグ数計数手段により計数された電子タグの数とを比較する比較手段、及びこの比較手段により入力された点数が電子タグの数と一致したことを条件に代金決済手段による決済を許可する決済制御手段として機能させるためのものである。
【発明の効果】
【００１０】
かかる手段を講じた本発明によれば、各商品にそれぞれ付された電子タグのデータを一括して読取り、この読取られた電子タグのデータに基づいて１商取引として売り上げる商品の販売データを処理する場合において、簡単かつ安価な構成で商取引をミスなく確定させることができる効果を奏する。
【発明を実施するための最良の形態】
【００１１】
図１は本発明に係る商品販売データ処理装置の一実施形態を示す模式図である。同図において、符号１はＰＯＳ（Point Of Sales）端末、２は電子タグリーダ、３はタグアンテナ板を示す。タグアンテナ板３には、電子タグリーダ２の一部として、電子タグとの間で電磁界あるいは電波の送受信を行うアンテナ４が取り付けられている。
【００１２】
電子タグリーダ２は、電子タグデータ読取手段の一態様であり、アンテナ４の交信領域内に存在する電子タグと非接触で交信し、当該電子タグのメモリに記憶されている電子タグデータを読取るもので、アンチコリジョン方式という衝突防止機能を有している。この機能により、タグアンテナ板３の上に買い物籠等の収容体５に収容された１商取引分の客買上商品６Ａ，６Ｂ，６Ｃ，…が置かれると、これら商品６Ａ，６Ｂ，６Ｃ，…にそれぞれ付されている電子タグ７Ａ，７Ｂ，７Ｃ，…のデータが電子タグリーダ２によって一括して読取られる。そして、電子タグリーダ２で読取られた電子タグデータは、ＰＯＳ端末１に順次送信される。ＰＯＳ端末１では、電子タグリーダ２で電子タグ７Ａ，７Ｂ，７Ｃ，…から読取った電子タグデータに基づいて、当該電子タグが付された商品６Ａ，６Ｂ，６Ｃ，…の販売データを処理するものとなっている。なお、必ずしも各商品６Ａ，６Ｂ，６Ｃ，…は、収容体５に収容されていなくてもよい。
【００１３】
電子タグ７Ａ，７Ｂ，７Ｃ，…は、無線タグ，ＲＦＩＤ（Radio Frequency Identification），ＩＣタグ等とも称され、既に実用化されているものである。そして、本実施の形態では、商品６Ａ，６Ｂ，６Ｃ，…にそれぞれ付されている電子タグ７Ａ，７Ｂ，７Ｃ，…を商品タグと称する。商品タグのメモリには、例えばタグ製造時に設定されるシリアルナンバー等のタグ固有のＩＤコードと、当該商品タグが付されている商品を特定するための商品コードとが少なくとも格納されている。
【００１４】
図２はＰＯＳ端末１の要部構成を示すブロック図である。このＰＯＳ端末１は、商品販売データ処理装置の一態様であり、制御部本体としてＣＰＵ（Central Processing Unit）１１を搭載している。また、プログラム等の固定的データが予め格納されたＲＯＭ（Read Only Memory）１２、入力データ，演算処理データ等の可変的データを記憶するための種々のメモリエリアが形成されるＲＡＭ（Random Access Memory）１３、現在の日時を計時する時計部１４、オンライン接続されたストアサーバとの間で行うデータ通信を制御する通信コントローラ１５、前記電子タグリーダ２が電気的に接続される電子タグリーダインターフェイス１６、キーボード１７の操作キーに対応したキー信号を取り込むキーボードコントローラ１８、オペレータ用ディスプレイ１９の画面表示を制御する第１の表示コントローラ２０、客用ディスプレイ２１の画面表示を制御する第２の表示コントローラ２２、レシート印字等を行うプリンタ２３の印字動作を制御するプリンタコントローラ２４、現金等を収容するためのドロワ２５と、データ読取音などを発するブザー２６とにそれぞれ駆動信号を出力するＩ／Ｏ（Input/Output）ポート２７等を備えている。そしてＣＰＵ１１と、ＲＯＭ１２，ＲＡＭ１３，時計部１４，通信コントローラ１５，電子タグリーダインターフェイス１６，Ｉ／Ｏポート２７及び各種入出力機器のコントローラ１８，２０，２２，２４とを、アドレスバス，データバス等のバスライン２８で接続している。
【００１５】
キーボード１７には、数値データを置数するための置数キー３１と、１商取引の締めを宣言する締め宣言手段としての締めキー３２とを少なくとも設けている。
【００１６】
ＲＡＭ１３には、複数の商品販売データを記憶保持可能な商品アイテムバッファ４１と、複数の電子タグデータを記憶保持可能な電子タグデータバッファ４２と、置数キー３１により置数入力された数値データを一時的に記憶する数値バッファ４３とを少なくとも形成している。
【００１７】
商品アイテムバッファ４１は、図３に示すように、商品コード，商品名，単価，売上点数及び売上金額の各項目からなる商品販売データを複数記憶するためのエリアと、売上点数及び売上金額の合計データ（売上合計点数Ｎ，売上合計金額Ｍ）を記憶するためのエリアを有している。
【００１８】
電子タグデータバッファ４２は、図４に示すように、電子タグデータを記憶するための複数のエリアを有している。この電子タグデータバッファ４２は、エリア番号１のエリアから順に電子タグデータを記憶保持し、エリア番号ＭＡＸのエリアまで電子タグデータが記憶保持されると、それ以後の電子タグデータをエリア番号１のエリアから順に上書きするようになっている。
【００１９】
かかる構成のＰＯＳ端末１は、電源投入によりシステムが立ち上がると、ＣＰＵ１１が図５及び図６の流れ図に示す手順の制御処理を実行するものとなっている。なお、この処理は、例えばＲＯＭ１２に格納されたプログラムに従って制御される。
【００２０】
すなわちＣＰＵ１１は、ＳＴ（ステップ）１として電子タグリーダインターフェイス１６を介して接続された電子タグリーダ２に起動を指令する。これにより、電子タグリーダ２は、電子タグを読取るための読取信号を変調し、この変調電波をアンテナ４から連続して発信する。そして、電子タグからの応答電波をアンテナ４で受信するのを待機している。応答電波を受信すると、その電波を復調し、応答データつまりは電子タグのメモリに記憶されている電子タグデータをＰＯＳ端末１に送信する。
【００２１】
そこでＣＰＵ１１は、ＳＴ２として電子タグデータの受信を待機している。電子タグリーダ２から電子タグデータを受信すると（ＳＴ２のＹＥＳ）、ＳＴ３として電子タグデータバッファ４２を検索する。そして、受信した電子タグデータと同一のデータが電子タグデータバッファ４２に記憶されているか否かを判断する。この判断処理は、受信した電子タグデータに含まれるタグ固有のＩＤコードで電子タグデータバッファ４２を検索し、同一のＩＤコードを含む電子タグデータの有無を判断するものであり、記憶されている場合には同一データ有りと判断し、記憶されていない場合には同一データ無しと判断する。
【００２２】
その結果、同一データ有りと判断した場合には（ＳＴ４のＹＥＳ）、ＣＰＵ１１は、ＳＴ５として受信した電子タグデータを電子タグデータバッファ４２に追加せず、破棄する。しかる後、ＳＴ２の処理に戻り、次の電子タグデータを受信するのを待機する。
【００２３】
同一データ無しと判断した場合には（ＳＴ４のＮＯ）、ＣＰＵ１１は、ＳＴ６として受信した電子タグデータを電子タグデータバッファ４２に追加する。しかる後、ＳＴ７として電子タグデータバッファ４２に追加された電子タグデータが、各商品にそれぞれ付されている商品タグのデータか否かを判断する。ここで、商品タグから読取った電子タグデータでない場合には、ＳＴ２の処理に戻り、次の電子タグデータを受信するのを待機する。
【００２４】
受信した電子タグデータが商品タグから読取った電子タグデータ、つまりＩＤコードとともに商品コードを含むデータであった場合には、ＣＰＵ１１は、ＳＴ８としてその電子タグデータに含まれる商品コードに基づいて商品名，単価等の商品データを取得する（商品名取得手段）。すなわちＰＯＳ端末１は、各商品の商品コードに対応して商品名，単価等の商品データがプリセットされた商品データファイルを備えており、ＣＰＵ１１は、電子タグデータから取得した商品コードで商品データファイルを検索して、当該商品コードに対応して設定されている商品名及び単価の商品データを取得する。なお、商品タグのメモリに商品コードと共に商品名，単価等の商品データも記憶するようにして、商品データファイルを省略することも可能である。
【００２５】
ＣＰＵ１１は、商品コード，商品名，単価等の商品データを取得すると、次に、ＳＴ９として売上点数を“１”とし、売上金額を単価として、商品コード，商品名，単価，売上点数及び売上金額からなる商品販売データを生成する。そして、この商品販売データを商品アイテムバッファ４１に追加する。この際、既に商品名及び単価が同一の商品販売データが商品アイテムバッファ４１に格納されている場合には、この商品名及び単価が同一の商品販売データの売上点数及び売上金額に、今回追加する商品販売データの販売点数及び販売金額をそれぞれ加算する。
【００２６】
次に、ＣＰＵ１１は、ＳＴ１０として商品アイテムバッファ４１に記憶された各商品販売データの売上点数及び売上金額をそれぞれ加算し、合計点数Ｎ及び合計金額Ｍを算出して、商品アイテムバッファ４１の合計エリアを更新する（タグ数計数手段）。そして、ＳＴ１１としてオペレータ用ディスプレイ１９及び客用ディスプレイ２１に商品名，単価，合計金額［小計額］等を表示させる（商品名表示手段）。また、ＳＴ１２としてブザー２６に駆動信号を送出して、商品読取確定音を鳴動させる。
【００２７】
その後、ＣＰＵ１１は、ＳＴ１３として締めキー３２が操作入力されたか否かを判断する。締めキー３２が操作入力されていない場合には、ＳＴ２の処理に戻り、次の電子タグデータを受信するのを待機する。
【００２８】
締めキー３２が操作入力された場合には、ＣＰＵ１１は、図６のＳＴ２１の処理に進む。すなわち、客が買上げる商品の合計点数の入力をオペレータに指示するメッセージ画面をオペレータ用ディスプレイ１９に表示させる。そしてＣＰＵ１１は、ＳＴ２２として総点数が入力されるのを待機する。ここで、置数キー３１の操作入力により数値データｋが入力されると、この数値データｋを客が買上げる商品の合計点数とみなす（点数入力手段）。そして、ＳＴ２３としてこの合計点数ｋと商品アイテムバッファ４１に記憶されている合計点数Ｎとを比較する（比較手段）。
【００２９】
その結果、置数入力された合計点数ｋの方が商品アイテムバッファ４１に記憶されている合計点数Ｎより小さい場合には（ＳＴ２４のＹＥＳ）、ＣＰＵ１１は、ＳＴ２５として客が買上げる商品の合計点数の再入力をオペレータに指示するメッセージ画面をオペレータ用ディスプレイ１９に表示させる（メッセージ表示手段）。そして、ＳＴ２２の処理に戻り、総点数が再入力されるのを待機する。
【００３０】
置数入力された合計点数ｋの方が商品アイテムバッファ４１に記憶されている合計点数Ｎより大きい場合には（ＳＴ２４のＮＯ，ＳＴ２６のＹＥＳ）、ＣＰＵ１１は、ＳＴ２７として客が買上げる商品に付されている電子タグの読取エラーをオペレータに報知するためのメッセージ画面をオペレータ用ディスプレイ１９に表示させる（メッセージ表示手段）。その後、他の処理に移行する。
【００３１】
置数入力された合計点数ｋと商品アイテムバッファ４１に記憶されている合計点数Ｎとが一致する場合には（ＳＴ２４のＮＯ，ＳＴ２６のＮＯ）、ＣＰＵ１１は、ＳＴ２８として商品アイテムバッファ４１に記憶された商品販売データに基づいて１商取引として売り上げる商品の代金を決済するための締め処理を行う。この締め処理は、商取引の合計金額に対して代金が支払われると、釣銭額を算出し、オペレータ用ディスプレイ１９，客用ディスプレイ２１に表示させるとともに、ドロワ２５を開放動作させる処理を含む。また、プリンタ２３を駆動して、商品アイテムバッファ４１に記憶された商品名，売上点数，売上金額や合計点数，合計金額等の商取引明細データが印字されたレシートを発行する処理を含む（代金決済手段）。
【００３２】
ここに、ＣＰＵ１１は、置数入力された合計点数ｋと商品アイテムバッファ４１に記憶されている合計点数Ｎとが一致することを条件に決済を許可する決済制御手段として機能する。
【００３３】
かかる締め処理が終了すると、ＣＰＵ１１は、ＳＴ２９として商品アイテムバッファ４１をクリアする。このとき、電子タグデータバッファ４２はクリアしない。その後、ＳＴ２の処理に戻り、次の電子タグデータを受信するのを待機する。
【００３４】
このように構成された本実施の形態においては、ＰＯＳ端末１の電源投入により、電子タグリーダ２のアンテナ４からは、電子タグを読取るための読取電波が連続して発信される。ここで、アンテナ４の交信領域内に電子タグが入ると、この電子タグのメモリに記憶されている電子タグデータが電子タグリーダ２によって非接触で読取られ、ＰＯＳ端末１に送信される。
【００３５】
今、客が多数の商品６Ａ，６Ｂ，６Ｃ，…を購入するために、ＰＯＳ端末１が設置された会計場所に来たとする。この場合、会計担当の店員いわゆるキャッシャは、各商品６Ａ，６Ｂ，６Ｃ，…をタグアンテナ板３の上に載置する。そうすると、各商品６Ａ，６Ｂ，６Ｃ，…にそれぞれ付されている電子タグ７Ａ，７Ｂ，７Ｃ，…は、アンテナ４からの読取電波に応答して、それぞれＩＤコードと商品コードとを含む電子タグデータの応答電波を発信する。
【００３６】
例えば、商品６Ａに付された電子タグ７Ａからの応答電波をアンテナ４で受信すると、この電子タグ７Ａに記憶されているＩＤコードと商品コードを含む電子タグデータが電子タグリーダで読取られ、ＰＯＳ端末１に送り込まれる。これにより、ＰＯＳ端末１においては、当該電子タグデータ中のＩＤコードを含む電子タグデータが電子タグデータバッファ４２に記憶されているか否かが判断される。そして、記憶されていない場合には、当該電子タグデータが電子タグデータバッファ４２に追加される。また、この電子タグデータ中の商品コードに基づいて当該商品Ａの商品名，単価が取得され、売上点数（＝１）及び売上金額（＝単価×売上点数）とともに商品販売データが生成される。そして、この商品販売データが商品アイテムバッファ４１に格納される。また、商品名，単価．売上点数，売上金額等がオペレータ用ディスプレイ１９及び客用ディスプレイ２１に表示される。なお、商品アイテムバッファ４１は、直前の客の締め処理後にクリアされている。このため、商品アイテムバッファ４１の合計点数データＮは“１”となる。
【００３７】
次に、商品６Ｂに付された電子タグ７Ｂからの応答電波をアンテナ４で受信すると、この電子タグ７Ｂに記憶されているＩＤコードと商品コードを含む電子タグデータが電子タグリーダで読取られ、ＰＯＳ端末１に送り込まれる。これにより、ＰＯＳ端末１においては、当該電子タグデータ中のＩＤコードを含む電子タグデータが電子タグデータバッファ４２に記憶されているか否かが判断される。そして、記憶されていない場合には、当該電子タグデータが電子タグデータバッファ４２に追加される。また、この電子タグデータ中の商品コードに基づいて当該商品Ｂの商品名，単価が取得され、売上点数及び売上金額とともに商品販売データが生成される。そして、この商品販売データが商品アイテムバッファ４１に格納される。また、商品名，単価．売上点数，売上金額等がオペレータ用ディスプレイ１９及び客用ディスプレイ２１に表示される。このとき、商品アイテムバッファ４１の合計点数データＮは売上点数＝１が加算されて“２”となる。
【００３８】
残りの商品６Ｃ，…に付された電子タグ７Ｃ，…からの応答電波をアンテナ４で受信した場合も同様である。この時点におけるオペレータ用ディスプレイ１９の登録画面５１の一例を図７に示す。この例は、商品ＡＡＡを１点と、商品ＢＢＢを１点と、商品ＣＣＣを２点と、商品ＤＤＤを１点と、商品ＥＥＥを３点の計８点を買物客が購入した場合である。このとき、商品アイテムバッファ４１の合計点数データＮは “８”となっている。
【００３９】
キャッシャは、登録画面５１の表示内容から収容体５に収容された１商取引分の客買上商品の電子タグデータが全て読取られたと判断すると、締めキー３１を操作入力する。そうすると、図８に示すように、客が買上げる商品の合計点数の入力をオペレータに指示するメッセージ画面５２がオペレータ用ディスプレイ１９に表示される。このメッセージ画面５２には、点数入力欄５３が形成されている。そこでキャッシャは、収容体５に収容されている商品の数を数え、その数値ｋを置数キー３１で置数入力する。
【００４０】
そうすると、この置数入力された数値ｋと商品アイテムバッファ４１の合計点数データＮ（この場合は“８”）とが比較される。ここで、置数入力された数値ｋが“８”であった場合には一致するので、締め処理が許可される。これにより、商品アイテムバッファ４１に記憶された各商品６Ａ，６Ｂ，６Ｃ，…の各商品販売データに基づいて締め処理が行われる。そして締め処理後、商品アイテムバッファ４１がクリアされる。かくして、次の客の会計処理が可能となる。
【００４１】
これに対し、置数入力された数値ｋが合計点数データＮと一致しない場合、例えば数値ｋの方が小さい場合には、電子タグリーダ２によって読取られた商品タグの数Ｎに対してキャッシャが数えた商品数ｋが少なく、数え間違えをしている可能性が高いので、図９に示すように、客が買上げる商品の合計点数の再入力をオペレータに指示するメッセージ画面５４がオペレータ用ディスプレイ１９に表示される。このメッセージ画面５４にも、点数入力欄５５が形成されている。この場合、キャッシャは、収容体５に収容されている商品の数を数え直し、その数値ｋを置数キー３１で置数入力することによって対処するとこととなる。そして、再入力された数値ｋが合計点数データと一致したならば、締め処理が行われる。
【００４２】
一方、合計点数データＮに対して数値ｋの方が大きい場合には、電子タグの重なりやノイズの影響等により電子タグのデータが読取られていなかったり、電子タグが壊れていたりしている可能性が高いので、図１０に示すように、電子タグの読取エラーをオペレータに報知するためのメッセージ画面５６がオペレータ用ディスプレイ１９に表示される。この場合、キャッシャは、クリアキーを操作してメッセージ画面５６を消去させた後、登録画面５１に表示されている商品の内容と実際に収容体５に収容されている客買上げ商品とを照合して電子タグデータが読取られていない商品を見つけ出す。そして、該当する商品を見つけ出したならば、この商品の販売データを例えばキー操作により追加入力することによって対処すればよい。
【００４３】
なお、締め処理後、商品アイテムバッファ４１はクリアされる。かくして、次の客の会計処理が可能となる。ただしこの時点において、電子タグデータバッファ４２はクリアされず、各商品６Ａ，６Ｂ，６Ｃ，…にそれぞれ付された電子タグ７Ａ，７Ｂ，７Ｃ，…の電子タグデータは、電子タグデータバッファ４２で記憶保持されたままとなる。このため、決済を終えた直前の客の買上商品が電子タグリーダ２の近くにあっても、この商品に付されている電子タグのデータは破棄される。したがって、次の客の会計処理をスムーズに実行することができる。
【００４４】
このように本実施の形態では、ＰＯＳ端末１は、電子タグリーダ２によりデータが読取られた電子タグの数を計数する。またＰＯＳ端末１は、１商取引として売り上げる商品の点数入力を受付ける。そしてＰＯＳ端末１は、入力された点数と計数された電子タグの数とを比較し、一致すると１商取引として売り上げる商品の代金を決済するようにしている。したがって、タグアンテナ板３の上に置かれ、電子タグリーダ２によって電子タグデータが一括して読取られた商品の数と、キャッシャ自身が数えた客買上商品の数とが一致した場合に限り、当該客との商取引の決済が許可されるので、商取引をミスなく確定させることができる。この場合において、商品の総重量を計測するための計量器等の機器が不要である上、各商品の単位重量データを商品データベースに設定する面倒も無い。したがって、簡単にかつ安価な構成で効率的な商品販売データ処理機能を実現することができる。
【００４５】
なお、この発明は前記実施形態そのままに限定されるものではなく、実施段階ではその要旨を逸脱しない範囲で構成要素を変形して具体化できる。  
例えば、前記実施の形態では締めキー３２の操作入力に応じて１商取引として売り上げる商品の点数入力を受付けるようにしたが、その他の実施形態として、図５のＳＴ１２の処理に続いて図６のＳＴ２２の処理に進み、数値データｋが入力されない場合には、図５のＳＴ２の処理に戻るようにプログラム構成してもよい。この場合、キャッシャは、客の買上商品をタグアンテナ板３の上に載せた後、その客買上げ商品の点数を数え、置数キー３１で置数入力しておく。こうすることにより、タグアンテナ板３の上に載せられた全ての客買上げ商品の電子タグデータが読取られ、合計点数Ｎとに入力点数ｋとが一致した場合に、即座に締め処理が実行されるようになるので、処理効率を向上させることができる。
【００４６】
また、上記他の実施形態において、数値データが入力されず締めキー３２が操作入力された場合には、無条件に締め処理が実行されるようにしてもよい。例えば買上点数が１点や２点のように、オペレータ用ディスプレイ１９の表示内容から全ての電子タグデータが読み込まれていることが明確な場合には、数値データの入力を不要にすることも可能である。
【００４７】
また、前記実施の形態では、受信した電子タグデータと同一のデータが電子タグデータバッファ４２に記憶されているか否かを判断する処理として、受信した電子タグデータに含まれるタグ固有のＩＤコードで電子タグデータバッファ４２を検索し、同一のＩＤコードを含む電子タグデータの有無を判断するものとしたが、電子タグリーダ２で読取られる電子タグが商品タグに限定される運用である場合においては、受信した電子タグデータに含まれるＩＤコードと商品コードで電子タグデータバッファ４２を検索し、同一のＩＤコード及び商品コードを含む電子タグデータの有無を判断するものとしてもよい。
【００４８】
本実施の形態では装置内部に発明を実施する機能を実現するためのプログラムが予め記録されている場合で説明をしたが、これに限らず同様のプログラムをネットワークから装置にダウンロードしても良いし、同様のプログラムを記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００４９】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５０】
【図１】本発明の一実施の形態を示すシステム構成図。
【図２】同実施の形態におけるＰＯＳ端末の要部構成を示すブロック図。
【図３】同ＰＯＳ端末のＲＡＭに形成される商品アイテムバッファのエリア構造を示す模式図。
【図４】同ＰＯＳ端末のＲＡＭに形成される電子タグデータバッファのエリア構造を示す模式図。
【図５】同ＰＯＳ端末のＣＰＵが実行する制御処理の要部手順を示す流れ図。
【図６】同ＰＯＳ端末のＣＰＵが実行する制御処理の要部手順を示す流れ図。
【図７】同ＰＯＳ端末のオペレータ用ディスプレイに表示される登録画面の一例を示す模式図。
【図８】同ＰＯＳ端末のオペレータ用ディスプレイに表示される点数入力メッセージ画面の一例を示す模式図。
【図９】同ＰＯＳ端末のオペレータ用ディスプレイに表示される点数再入力メッセージ画面の一例を示す模式図。
【図１０】同ＰＯＳ端末のオペレータ用ディスプレイに表示されるタグ読取エラーメッセージ画面の一例を示す模式図。
【符号の説明】
【００５１】
１…ＰＯＳ端末、２…電子タグリーダ、３…タグアンテナ板、４…アンテナ、６Ａ，６Ｂ，６Ｃ…商品、７Ａ，７Ｂ，７Ｃ…電子タグ、１１…ＣＰＵ、１９…オペレータ用ディスプレイ、３１…テンキー、３２…締めキー、４１…商品アイテムバッファ、４２…電子タグデータバッファ。
【図１】
2007226320.tif 000003
【図２】
2007226320.tif 000004
【図３】
2007226320.tif 000005
【図４】
2007226320.tif 000006
【図５】
2007226320.tif 000007
【図６】
2007226320.tif 000008
【図７】
2007226320.tif 000009
【図８】
2007226320.tif 000010
【図９】
2007226320.tif 000011
【図１０】
2007226320.tif 000012